(57)【要約】アップリンク同期信号を送信するためのアップリンク・リソースの割り当てがユーザ機器へ伝送される。ユーザ機器は、アップリンク・リソース上でアップリンク同期信号を送信する。アップリンク同期信号から、ユーザ機器のタイミング・アドバンスが決定される。アップリンク・リソースの割り当てが、ユーザ機器の同期信号の送信を目的としているということをユーザ機器に示すために、ユーザ機器のタイミング・アドバンスのタイマの満了、アップリンク・リソースを割り当てるアロケーション・テーブル内のフィールド、またはネットワークからの明示的な信号伝達などの種々の指示が用いられる。ネットワークおよびユーザ機器両方の実施形態に関して、方法、デバイスおよびコンピュータ・プログラムが詳述される。【選択図】図4
2009535954.tif 000002
【特許請求の範囲】
【請求項１】
アップリンク同期信号を送信するためのアップリンク・リソースの割り当てを、ユーザ機器へ伝送することと；
割り当てられた前記アップリンク・リソース上で、前記アップリンク同期信号を前記ユーザ機器から受信することと；
前記アップリンク同期信号から、前記ユーザ機器のタイミング・アドバンスを決定することと
を含む方法。
【請求項２】
前記割り当てられたアップリンク・リソースは共有チャネル・アップリンク・リソース（Shared Channel Uplink Resource）である、請求項1に記載の方法。
【請求項３】
前記決定されたタイミング・アドバンスを前記ユーザ機器へ送信することをさらに含む、請求項1に記載の方法。
【請求項４】
前記タイミング・アドバンスは、制御信号伝達；データ伝送におけるヘッダ；アロケーション・テーブルのいずれかを用いて送信される、請求項3に記載の方法。
【請求項５】
前記ユーザ機器は第１ユーザ機器を含み、前記アップリンク同期信号は第１アップリンク同期信号を含み、前記タイミング・アドバンスは第１タイミング・アドバンスを含み；
前記伝送することは、前記アップリンク・リソースの前記割り当てを含む第１アロケーション・テーブルを、前記第１ユーザ機器および第２ユーザ機器へ伝送することを含み；
前記受信することは、前記アップリンク・リソース上で、前記第１アップリンク同期信号を前記第１ユーザ機器から受信することと、前記アップリンク・リソース上で、第２アップリンク同期信号を前記第２ユーザ機器から受信することとを含み；
前記決定することは、前記第１アップリンク同期信号から、前記第１ユーザ機器の前記第１タイミング・アドバンスを決定することと、前記第２ユーザ機器の前記第２アップリンク同期信号から、前記第２ユーザ機器の第２タイミング・アドバンスを決定することとを含み、
さらに前記方法は、前記第１および前記第２のタイミング・アドバンスを、第２アロケーション・テーブル内で前記第１および前記第２のユーザ機器へ送信すること
をさらに含む、請求項1に記載の方法。
【請求項６】
前記アップリンク・リソースの前記割り当ては、アロケーション・テーブル内で前記ユーザ機器へ伝送される、請求項1に記載の方法。
【請求項７】
前記ユーザ機器から受信される前記アップリンク同期信号は、セル特有のパイロット符号シーケンス、又は、前記ユーザ機器に関連し且つ前記アップリンク・リソースの前記割り当てと共に前記ユーザ機器へ伝送されたプリアンブルのうちの一方から成る、請求項1に記載の方法。
【請求項８】
前記ユーザ機器から受信される前記アップリンク同期信号は、非同期ランダム・アクセス・チャネル上での伝送におけるガード・タイムに等しいガード・タイムを含む、請求項1に記載の方法。
【請求項９】
前記アップリンク・リソースの前記割り当ては、利用可能なタイミング・アドバンス値がないという指示をさらに含む、請求項1に記載の方法。
【請求項１０】
前記ユーザ機器が非同期ハンドオーバーによってセル内に確立されることに応答して実行される、請求項1に記載の方法。
【請求項１１】
アップリンク同期信号を送信するためのアップリンク・リソースの割り当てを、ネットワーク・デバイスから受信することと；
割り当てられた前記アップリンク・リソース上で、前記アップリンク同期信号を伝送することと
を含む方法。
【請求項１２】
前記割り当てられたアップリンク・リソースは共有チャネル・アップリンク・リソースである、請求項11に記載の方法。
【請求項１３】
前記伝送の後に、タイミング・アドバンスを受信することと、さらなる伝送を前記タイミング・アドバンスに同期させることとをさらに含む、請求項11に記載の方法。
【請求項１４】
前記タイミング・アドバンスは、制御信号伝達；データ伝送；およびアロケーション・テーブルのうち１つにおいて受信される、請求項13に記載の方法。
【請求項１５】
前記アップリンク同期信号は、セル特有のパイロット符号シーケンス、又は、前記ユーザ機器に関連し且つ前記アップリンク・リソースの前記割り当てと共に前記ユーザ機器へ伝送されたプリアンブルのうちの１つから成る、請求項11に記載の方法。
【請求項１６】
前記伝送される前記アップリンク同期信号は、非同期ランダム・アクセス・チャネル上での伝送におけるガード・タイムに等しいガード・タイムを含む、請求項11に記載の方法。
【請求項１７】
前記アップリンク・リソースの前記割り当ては、利用可能なタイミング・アドバンス値がないという指示をさらに含む、請求項11に記載の方法。
【請求項１８】
前記伝送は、タイミング・アドバンスのタイマの満了を条件とする、請求項11に記載の方法。
【請求項１９】
メモリに統合され、プロセッサにより実行されることにより動作を遂行するコンピュータ・プログラムであって、前記動作は、
アップリンク同期信号を送信するためのアップリンク・リソースの割り当てを、ユーザ機器へ伝送することと；
割り当てられた前記アップリンク・リソース上で、前記アップリンク同期信号を前記ユーザ機器から受信することと；
前記アップリンク同期信号から、前記ユーザ機器のタイミング・アドバンスを決定することと
を含む、コンピュータ・プログラム。
【請求項２０】
前記割り当てられたアップリンク・リソースは共有チャネル・アップリンク・リソースである、請求項19に記載のコンピュータ・プログラム。
【請求項２１】
前記決定されたタイミング・アドバンスを前記ユーザ機器へ送信することをさらに含む、請求項19に記載のコンピュータ・プログラム。
【請求項２２】
前記タイミング・アドバンスは、制御信号伝達；データ伝送におけるヘッダ；またはアロケーション・テーブルのいずれかを用いて送信される、請求項21に記載のコンピュータ・プログラム。
【請求項２３】
前記アップリンク・リソースの前記割り当ては、アロケーション・テーブル内で前記ユーザ機器へ伝送される、請求項19に記載のコンピュータ・プログラム。
【請求項２４】
前記アップリンク同期信号は、セル特有のパイロット符号シーケンス、又は、前記ユーザ機器に関連し且つ前記アップリンク・リソースの前記割り当てと共に前記ユーザ機器へ伝送されたプリアンブルのうちのいずれかから成る、請求項19に記載のコンピュータ・プログラム。
【請求項２５】
前記ユーザ機器から受信される前記アップリンク同期信号は、非同期ランダム・アクセス・チャネル上での伝送におけるガード・タイムに等しいガード・タイムを含む、請求項19に記載のコンピュータ・プログラム。
【請求項２６】
前記アップリンク・リソースの前記割り当ては、利用可能なタイミング・アドバンス値がないという指示をさらに含む、請求項19に記載のコンピュータ・プログラム。
【請求項２７】
前記ユーザ機器が非同期ハンドオーバーによってセル内に確立されることに応答して実行される、請求項19に記載のコンピュータ・プログラム。
【請求項２８】
アップリンク同期信号を送信するためのアップリンク・リソースの割り当てを、ユーザ機器へ伝送するように構成される送信機と；
割り当てられた前記アップリンク・リソース上で、前記アップリンク同期信号を前記ユーザ機器から受信するように構成される受信機と；
前記アップリンク同期信号から、前記ユーザ機器のタイミング・アドバンスを決定するように構成されるプロセッサと
を含むネットワーク構成要素。
【請求項２９】
前記ユーザ機器に割り当てられた前記アップリンク・リソースは、共有チャネル・アップリンク・リソースである、請求項28に記載のネットワーク構成要素。
【請求項３０】
前記送信機はさらに、前記タイミング・アドバンスを前記ユーザ機器へ伝送するように構成される、請求項28に記載のネットワーク構成要素。
【請求項３１】
Node Bを含む、請求項28に記載のネットワーク構成要素。
【請求項３２】
アップリンク同期信号を送信するためのアップリンク・リソースの割り当てを、ネットワーク・デバイスから受信するように構成される受信機と；
メモリに接続され、前記アップリンク同期信号を決定するように構成されるプロセッサと；
前記アップリンク・リソース上で前記アップリンク同期信号を伝送するように構成される送信機と
を含むユーザ機器。
【請求項３３】
前記送信機が前記アップリンク同期信号を伝送した後、さらに、前記受信機はタイミング・アドバンスを受信するように構成され、前記プロセッサは前記送信機からのさらなる伝送を前記タイミング・アドバンスに同期させるように構成される、請求項32に記載のユーザ機器。
【請求項３４】
前記アップリンク同期信号は、セル特有のパイロット符号シーケンスと、前記ユーザ機器に関連し且つ前記アップリンク・リソースの前記割り当てと共に前記ユーザ機器へ伝送されたプリアンブルとのうち１つを含む、請求項32に記載のユーザ機器。
【請求項３５】
前記送信機は、タイミング・アドバンスのタイマの満了を条件とする前記アップリンク同期信号を伝送するように構成される、請求項32に記載のユーザ機器。
【請求項３６】
アップリンク同期信号を送信するためのアップリンク・リソースの割り当てを、ユーザ機器へ伝送する手段と；
割り当てられた前記アップリンク・リソース上で、前記アップリンク同期信号を前記ユーザ機器から受信する手段と；
前記アップリンク同期信号から、前記ユーザ機器のタイミング・アドバンスを決定する手段と
を含む装置。
【請求項３７】
前記伝送手段は送受信機を含み；
前記受信手段は受信機を含み；
前記決定手段は、コンピュータ可読メモリに接続されたプロセッサを含む
請求項36に記載の装置。
【発明の詳細な説明】
【技術分野】
【０００１】
本発明の例示的かつ非限定的な実施形態は、全般的にワイヤレス通信のシステム、方法、コンピュータ・プログラムおよびデバイスに関し、特に、ユーザ機器のアップリンクの時間的同期を実現する技術に関する。
【背景】
【０００２】
以下の略語をこれにより定義する。
3GPP   第3世代パートナーシップ・プロジェクト（third generation partnership project）
AT     アロケーション・テーブル（allocation table）（物理ダウンリンク共有制御チャネルPDCCH（physical downlink shared control channel）とも呼ばれる）
C-RNTI セル無線ネットワーク一時識別子（cell radio network temporary identifier）
DL     ダウンリンク（downlink）（Node BからUE）
DRX    間欠受信（discontinuous reception）
GPRS   汎用パケット無線サービス（general packet radio service）
GSM    移動体通信用グローバル・システム（global system for mobile communication）
HO     ハンドオーバー（hand over）
IMS    インスタント・メッセージ・サービス（instant messaging service）
LTE    ロング・ターム・エボリューション（long term evolution）
MAC    媒体アクセス制御（medium access control）
Node B  基地局
PTCCH  パケット・タイミング・アドバンス制御チャネル（packet timing advance control channel）
RACH   ランダム・アクセス・チャネル（random access channel）
RLID   無線リンク識別子（radio link identifier）
RNC    無線ネットワーク制御装置（radio network control）
RRC    無線リソース制御（radio resource control）
SCH    共有チャネル（shared channel）
TA     タイミング・アドバンス（timing advance）
TBF    一時ブロック・フロー（temporary block flow）
UE     ユーザ機器（user equipment）
UL     アップリンク（uplink）（UEからNode B）
UMTS   ユニバーサル・モバイル・テレコミュニケーション・システム（universal mobile telecommunications system）
UTRAN  UMTS地上無線アクセス・ネットワーク（UMTS terrestrial radio access network）
E-UTRAN 進化型UTRAN（evolved UTRAN）、UTRAN-L TEとも3.9Gとも呼ばれる
VoIP   ボイス・オーバー・インターネット・プロトコル（voice over internet protocol）
【０００３】
UTRAN-LTEは、パケット・ベースの伝送システムとしてのみ定義されている。これは、現在展開されているいくつかのシステムに存在する、いわゆる専用接続モード（または回線交換モード）がないということを意味する。
【０００４】
現在定義されているように、アップリンク非接触インターフェース（air interface）のリソースは、UL-SCHと、コンテンション・ベース（contention based）のRACHとに分けられる。Node Bは、UEが（RLID／C-RNTIなどで）識別可能であり、UEのTAが極最近Node Bにより制御されていることから有効と見なすことができれば、UL-SCHに対する割り付けを提供してよい。UEが有効なTAを有しなければ、UL-SCH上で伝送することは許可されない。ランダム・アクセス手順は、初期のネットワーク・アクセス、TAの調整、LTE-IDLEからLTE-ACTIVE状態への移行、アップリンク・リソースのリクエストのため、およびHO中に、UEによって使用され得る。UEのTAの有効性に応じて、同期または非同期のランダム・アクセス手順のうち１つが用いられる。
【０００５】
RACHチャネルに関してさらに参照することができるのは、例えば、「3GPP TR25.813」、第0.8.3版、第3世代パートナーシップ・プロジェクト（3rd Generation Partnership Project）、技術仕様化グループ無線アクセス・ネットワーク（Technical Specification Group Radio Access Network）、進化型ユニバーサル地上無線アクセス（E-UTRA）および進化型ユニバーサル地上無線アクセス・ネットワーク（E-UTRAN）、および無線インターフェース・プロトコル・アスペクト（リリース7）（Evolved Universal Terrestrial Radio Access (E-UTRA) and Evolved Universal Terrestrial Radio Access Network (E-UTRAN), and Radio interface protocol aspects (Release 7)）のAnnex Bである。
【０００６】
UTRAN-LTEへの提案の１つは、UEがATを通じてネットワークからUL-SCHリソース割り当てを受けることであり、ここで、UEは、UEの現在のDRX期間（ネットワークにより定義され得る）により少なくとも一部分が決定される時間内の特定の瞬間に、ATを受信する。
【０００７】
なお、一般的な場合では、リソース（単数または複数）は、ネットワークによりDL制御信号伝達を用いてUEに割り当てられる。この制御信号伝達の正確な形式およびコンテンツは、本発明を理解することと特に密接な関係があるわけではなく、実際には改訂しなければならない可能性もある。
【０００８】
一方、UEの現在用いられているDRX期間が長ければ（例えば数秒）、DRX期間の前にUEにより使用されたTAは、UL-SCHでの伝送に用いるにはもはや有効でないこともある。UEは、もはや有効なTAをもう有していなければ、ネットワークから新たなTA値を受信するまでUL-SCHでの伝送を許可されない。
【０００９】
より広く言うと、TAが更新されていても、TAの最終更新からの時間が長ければ、TAは有効でないこともある。UEの現在のTAについて見込まれる有効性または無効性を確定するためにDRX期間を用いることは、非限定的な一例に過ぎない。
【００１０】
有効なTAを実現する手順（利用可能な有効TAがないときに）に、非同期RACHチャネル上でのUEによる伝送を含めることが提案されている。しかし、コンテンション・ベースのリソースを利用する（衝突、バックオフおよび再伝送が生じる可能性がある）この手法は、予測不可能な望ましくない遅延をもたらすこともある。
【００１１】
別の論点は、アクティブ状態のUEが常にUL同期されていなければならないという3.9Gでの要件に関する。このような要件は、実際には、ネットワークがUEのUL同期（TA）を最新に維持できるようにするために持続的なDL／UL伝送が必要とされることになるということを意味すると思われ、UEのTAを最新に保つだけの理由で、スケジュールされたDL／UL伝送が必要なる可能性もある。この手法は、EUの消費電力および帯域幅利用の点から見て効率的ではないということが分かる。
【００１２】
さらにもう１つの論点は、すべての接続方式およびサービスが、常にUL同期を維持する必要が本当にあるかどうかに関する。UEのUL同期を維持することを正当化する理由の１つは、高速な接続設定時間（短い遅延）が必要であるということであり、別の理由は、短い間隔で持続的かつ規則的なUL／DLデータ・フローを維持するためである（例えばVoIP）。しかし、通常のWEBブラウジングまたは電子メールのダウンロードなど、他の状況では、設定時間はそれほど重要でない場合もあり、バースト的な（非周期的な）形でデータが伝送されることもある。
【００１３】
なお、現在展開されているGSM HO手順では、UEが新たなセルへのHOのコマンドを受信して、新たなセルに対して有効なTAを有していなければ、UEは通常のULバーストを新たなセル内で伝送することを許可されない。代わりにUEは、タイム・スロットの大部分をバーストの周囲のガード・タイムまたはガード・バンドとして残した、より短い期間のバーストを伝送しなければならない。ネットワークは、受信した短バーストから伝搬遅延を測定し、適切なTA値をUEへ送信する。その結果UEは、通常のULバーストの伝送時に、新たに割り当てられたTA値を用い始めることができる。
【００１４】
GPRSにおけるPTCCHの使用は、UEを確実にUL同期させるための既に展開されている別の手順である。しかし、UEがアクティブなTBFを有する場合、つまりネットワークとUEとの間でUL／DL接続が既に確立されている場合にのみ、この手順の使用は有効である。
【非特許文献１】「3GPP TR25.813」、第0.8.3版、第3世代パートナーシップ・プロジェクト（3rd Generation Partnership Project）、技術仕様化グループ無線アクセス・ネットワーク（Technical Specification Group Radio Access Network）、進化型ユニバーサル地上無線アクセス（E-UTRA）および進化型ユニバーサル地上無線アクセス・ネットワーク（E-UTRAN）、および無線インターフェース・プロトコル・アスペクト（リリース7）（Evolved Universal Terrestrial Radio Access (E-UTRA) and Evolved Universal Terrestrial Radio Access Network (E-UTRAN), and Radio interface protocol aspects (Release 7)）、Annex B
【摘要】
【００１５】
本発明の例示的な実施形態には、アップリンク同期信号（Uplink Synchronization Signal）を送信するためのアップリンク・リソースの割り当てをユーザ機器へ伝送することと、アップリンク・リソース上で、アップリンク同期信号をユーザ機器から受信することと、アップリンク同期信号から、ユーザ機器のタイミング・アドバンス（Timing Advance）を決定することとを含む方法がある。
【００１６】
本発明の例示的な実施形態には、アップリンク同期信号を送信するためのアップリンク・リソースの割り当てを、ネットワーク・デバイスから受信することと、割り当てられたアップリンク・リソース上で、アップリンク同期信号を伝送することとを含む方法がある。
【００１７】
本発明のさらに別の例示的な実施形態には、メモリに統合され、プロセッサにより実行されることにより動作を遂行するコンピュータ・プログラムがある。該動作は、アップリンク同期信号を送信するためのアップリンク・リソースの割り当てをユーザ機器へ伝送することと、割り当てられたアップリンク・リソース上で、アップリンク同期信号をユーザ機器から受信することと、アップリンク同期信号から、ユーザ機器のタイミング・アドバンスを決定することとを含む。
【００１８】
本発明のさらに別の例示的な実施形態には、アップリンク同期信号を送信するためのアップリンク・リソースの割り当てを、ユーザ機器へ伝送するように構成される送信機と、割り当てられたアップリンク・リソース上で、アップリンク同期信号をユーザ機器から受信するように構成される受信機と、アップリンク同期信号から、ユーザ機器のタイミング・アドバンスを決定するように構成されるプロセッサとを含むネットワーク構成要素がある。
【００１９】
本発明のさらに別の例示的な実施形態には、アップリンク同期信号を送信するためのアップリンク・リソースの割り当てをネットワーク・デバイスから受信するように構成される受信機と、メモリに接続され、アップリンク同期信号を決定するように構成されるプロセッサと、アップリンク・リソース上でアップリンク同期信号を伝送するように構成される送信機とを含むユーザ機器がある。
【００２０】
本発明のさらに別の例示的な実施形態には、アップリンク同期信号を送信するためのアップリンク・リソースの割り当てをユーザ機器へ伝送する手段と、割り当てられたアップリンク・リソース上で、アップリンク同期信号をユーザ機器から受信する手段と、アップリンク同期信号から、ユーザ機器のタイミング・アドバンスを決定する手段とを含む装置がある。
【００２１】
さらに、上記の本発明の例示的な実施形態では、伝送手段は送信機を含み、受信手段は受信機を含み、決定手段はプロセッサを含む。
【図面の簡単な説明】
【００２２】
本発明の実施形態の前述した態様およびその他の態様は、以下の詳細な説明を添付の図面と併せて読むことでさらに明らかとなる。
【００２３】
【図１】本発明の例示的な実施形態の実践で用いるのに適した種々の電子デバイスの簡略化されたブロック図を示す。
【００２４】
【図２】制御信号伝達およびユーザ・データの伝送のためのUMTSパケット・データ・サービスのプロトコル・スタックを示す。
【００２５】
【図３】図3Aは、本発明の例示的な実施形態に従った方法の動作を示す一方、図3Bは従来の手法を示す。
【００２６】
【図４】本発明の実施形態に従ったUL同期手順に加えて、ネットワークがUEのTAを取得するための現在公知の技術、ならびに、UTRAN-LTEで用いられるよう提案されているRACH手順を示す。
【００２７】
【図５】本発明の例示的な実施形態を実装するネットワーク・デバイスの方法および動作を表現する論理流れ図を示す。
【００２８】
【図６】本発明の例示的な実施形態を実装するユーザ機器の方法および動作を表現する論理流れ図を示す。
【詳細な説明】
【００２９】
本発明の例示的な実施形態は、UTRAN-LTEに関し、以下ではこれに照らして説明される。さらに具体的には、本発明の例示的な実施形態は、UEのUL同期、およびUEのUL同期を推定するためのネットワークの能力の分野を扱う。しかし、当然のことながら、例示的な実施形態の少なくとも一部の態様は、GSM、HSPDAまたは任意のパケット交換システムなど、他の種類のワイヤレス通信システムに対して適用できる。
【００３０】
まず、本発明の例示的な実施形態の実践に用いるのに適した種々の電子デバイスの簡略化されたブロック図を示す図1を参照する。図1では、ワイヤレス・ネットワーク1が、Node B（基地局）12を介してUE10と通信するように構成される。Node B 12は、本願明細書ではeNodeBとも呼ばれる。ネットワーク1は、RNC14、またはその他の無線制御装置機能を含むとよい。これは、移動性管理エンティティMME（mobility management entity）またはゲートウェイと呼ばれることもある（3GPP TS 36.300 V1.0.0を参照のこと）。UE10は、データ・プロセッサ（DP：data processor）10Aと、プログラム（PROG：program）10Cを格納するメモリ（MEM：memory）10Bと、無線周波数（RF：radio frequency）送受信機10Dとを含み、RF送受信機10Dは、Node B 12との双方向ワイヤレス通信に適したものである。Node B 12も同じく、DP12Aと、PROG12Cを格納するMEM12Bと、適切なRF送受信機12Dとを含む。Node B 12は、データ・パス13を介してRNC14に接続されており、RNC14も同じく、DP14Aと、関連のPROG14Cを格納するMEM14Bとを含む。
【００３１】
以下で説明するように、少なくともPROG10Cおよび12Cは、関連のDPによって実行されると電子デバイスが本発明の例示的な実施形態にしたがって動作できるようにする、プログラム命令を含む。例えば、PROG12Cは、ATとして送信されるデータ構造内などで専用アップリンク・リソース（例えばUL-SCHサブフレーム）をUE10に割り当てるために、UE10へ信号を送るようNode B 12に指示するプログラム命令を含む。この専用アップリンク・リソースは、TA値の計算にNode B 12により用いられる特殊同期バースト（special synchronization burst）を伝送するため、ならびに、割り当てられたULリソースからTA値の計算用に特殊バーストを受信するためのものである。PROG10Cは、割り当てられたULリソースにおいて特殊バーストを伝送するようUE10に命令するプログラム命令を含む。
【００３２】
以下、図2を参照する。図2は、移動局MS（mobile station）と、コア・ネットワークCN（core network）との間の制御信号伝達用に用いられるプロトコル・スタックを示す。移動局MSの移動性管理MMと、呼制御CC（call control）と、セッション管理SM（session management）とは、移動局MSとコア・ネットワークCNとの間の最上位のプロトコル層上で、信号で伝えられる。これは、間にある基地局BS（base station）および無線ネットワーク制御装置RNCがこの信号伝達には見えないような形で行われる。移動局MSと基地局BSとの間の無線リンクの無線リソース管理は、無線リソース管理システムRRM（radio resource management system）により行われる。無線リソース管理システムRRMは、無線ネットワーク制御装置RNCからの制御データを基地局BSへ伝送する。移動体システムの全体的な管理に関連するこれらの機能は、非アクセス階層（Non−Access Stratum）としても知られるコア・ネットワーク・プロトコル（CNプロトコル）と呼ばれるグループを形成する。これに付随して、移動局MS、基地局BSおよび無線ネットワーク制御装置RNC間での無線ネットワーク制御に関する信号伝達は、無線アクセス・ネットワーク・プロトコル（RANプロトコル）と呼ばれるプロトコル層、すなわちアクセス階層で行われる。これには、最下位レベルの転送プロトコルが含まれ、その信号伝達は、さらなる処理のために上位レベルへ転送される。上位のアクセス階層の層のうち最も重要なものは、無線リソース制御プロトコルRRCである。これは、例えば、移動局MSと無線ネットワークUTRANとの間の論理的な接続を確立、構成、維持および解放すること、ならびに、コア・ネットワークCNおよび無線ネットワークRANからの制御情報を移動局MSへ伝送することを担う。さらに、無線リソース制御プロトコルRRCは、例えば、無線リソース管理システムRRMの命令に従い、用途に基づく容量割り付けにおいて、十分な容量をユーザ端末接続へ割り付けることも担っている。
【００３３】
本発明の例示的な実施形態は、UE10のDP10A、および、ネットワーク内のDPと協働してなどその他のDPにより実行可能なコンピュータ・ソフトウェアにより実装されても、またはハードウェアにより実装されても、またはソフトウェアおよび／またはファームウェアならびにハードウェアの組み合わせにより実装されてもよい。
【００３４】
一般に、UE10の種々の実施形態は、セルラ電話、ワイヤレス通信機能を有する携帯情報端末（PDA：personal digital assistant）、ワイヤレス通信機能を有する携帯用コンピュータ、ワイヤレス通信機能を有するデジタル・カメラなどの画像キャプチャ・デバイス、ワイヤレス通信機能を有するゲーム機、ワイヤレス通信機能を有する音楽記憶再生機器、ワイヤレスインターネット・アクセスおよびブラウジングが可能なインターネット機器、ならびにそのような機能の組み合わせが組み込まれた携帯用ユニットまたは携帯端末を含み得るが、これらに限定はされない。
【００３５】
MEM10B、12Bおよび14Bは、ローカル技術環境に適した任意の種類でよく、半導体ベースのメモリ・デバイス、磁気メモリ・デバイスおよび磁気メモリ・システム、光学メモリ・デバイスおよび光学メモリ・システム、固定メモリおよび取り外し可能なメモリなど、任意の適切なデータ格納技術を用いて実装されるとよい。DP10A、12Aおよび14Aは、ローカル技術環境に適した任意の種類でよく、非限定的な例として、汎用コンピュータ、専用コンピュータ、マイクロプロセッサ、デジタル信号プロセッサ（DSP：digital signal processor）、マルチコア・プロセッサ構造に基づくプロセッサなどのうち、１つ以上を含むとよい。
【００３６】
ここまで、本発明の例示的な実施形態の実践に関して、適切であるが非限定的な技術的背景を１つ紹介したが、以下では例示的な実施形態についてさらに限定して説明する。
【００３７】
本発明の例示的な実施形態は、ULデータ転送が必要なときに、ネットワーク1が特定のUE10のUL TAを測定するための方法および装置を提供する。方法および装置は、UE10がUL-SCHにおいての伝送を必要とすることになると、あらかじめネットワーク1が認識しているという状況に適用されてもよい（しかしこれに限定されない）。これは、ネットワーク1がUE10の何らかの測定をリクエストすることを望む場合、ならびにネットワーク1が、UEが、DLトラフィックに応答してULにおいて肯定または否定応答（ACK／NACK）を送信することを必要とすることになると予期する場合に当てはまると思われる。
【００３８】
本発明の例示的な実施形態に従い、ネットワークにより割り当てられるUE10専用ULリソースが、UE10により特殊バーストの送信用に用いられるよう規定される。続いて、このバーストは、UE10のTAの測定用にネットワークによって用いられる（例えば、Node B 12によって用いられる）。バーストは、大きなタイミング不確定性に対応するよう特別に設計される。例えば、バーストの形式は、E-UTRANでの非同期RACH上で用いられるバーストに似ていてもよく、または、例えばハンドオーバーおよびRACHにおいて用いられる、GSMから公知のアクセス・バーストの形式に似ていてもよい。
【００３９】
ネットワーク1は、UE10のTAを、受信された特殊バーストに基づいて計算し、その後、それに続くリソース割り当てメッセージ内で、またはその他適切な制御信号伝達手段によって、UE10に新たなTA値を通知する。
【００４０】
E-UTRAN LTE-ACTIVE状態であるがUL非同期であるUE10という非限定的な例を用いて、次の説明をする。なお、本発明の例示的な実施形態は、例えばE-UTRAN LTE-IDLEモードのUE10に対して採用されてもよく、次に限定されるものではないが、上記で例として言及した他のワイヤレス・システムの類似のモードなど、その他の状況においても採用されてよい。
【００４１】
UE10がACTIVE状態であれば、既にネットワーク1によって一意のIDが割り当てられている。実際には、所与のセル内にあるACTIVE状態のUEはすべて、一意の識別子を割り当てられている。これは、ネットワーク1が、UE10を一意的にアドレス指定することができるということを意味する。例えばDL上で送信されるATを用いることによってこれが行われ得る。UE10に割り当てられている一意のアドレスは、２つの非限定的な例として、RLIDまたはC-RNTIと呼ばれることもある。
【００４２】
UE10がLTE-ACTIVE状態のとき、或る期間にわたりUL上で伝送が行われておらず、さらにネットワーク1が新たなTA値を計算して割り当てる機会を得ていなければ、同期が失われることもある。この場合、UE10は、ネットワーク1から新たな有効TA値が受信されるまで、UL-SCHにおいて通常のバーストを伝送することを許可されるべきではない。ネットワーク1は、UE10がULにおいて送信する特殊同期バーストに基づいてTAを計算する。
【００４３】
上述のとおり、非同期RACHチャネル手順を用いて同期化が実行されることが提案されている（図3Bの、330と表示されている伝送を参照のこと）。
【００４４】
さらに具体的には、図3Bでは、eNodeBと呼ばれることもあるNode Bが、ATにおいて、RACH上での伝送命令をUE10へ送信する310。UE10は320で、非同期RACH上でプリアンブル（特殊同期バースト）を伝送することによって応答する。それに応答して、eNodeBは、UE10のTAを計算し、計算したTAおよびUL-SCH割り付けをATにおいて送信する330。340で、UE10はUL-SCH上で一意のIDを送信し、350で、eNodeBは通常のUL-SCH割り付けをAT内で送信する。
【００４５】
本発明の例示的な実施形態は、RACH上ではなく、代わりに、ネットワーク1によりUE10に割り当てられたUL-SCH配分上で伝送される特殊同期バーストを規定する（図3Aの315および図4の440を参照のこと）。つまり、図1を参照すると、Node Bによって、例えばAT内でUE10に割り当てられたUL-SCHサブフレーム内で特殊同期バーストが送信される。なお、単一のAT／PDCCHは、２つ以上のUE10を同じUL-SCHに割り付けてもよく、このUL-SCHは、本願明細書において詳述される特殊同期バースト専用であればよい。２つのUE10が、同一のAT／PDCCHにおいて、それらの個別のアップリンク同期信号を伝送するための同じUL（共有）リソースを割り当てられても、本発明の範囲内である。同一の共有チャネル上で同時にUL同期バーストが生じる場合、eNodeB 12は、特殊同期バーストのアップリンク伝送に対して各UE10により用いられる個々の一意のプリアンブルを用いて、UEを相互に区別することができる。一実施形態では、各UEが、UL-SCH同期バースト用の一意のプリアンブルを事前割り付けされるよう、セルに入るとこのような一意のプリアンブルが各UEに信号（またはその他の制御信号伝達）で伝えられる。別の実施形態では、プリアンブルと、UEのRLIDまたはAT／PDCCHにおいて用いられるその他のUE識別子とを関連付けるために、AT／PDCCH自体が追加のフィールドを含んでいるとよい。この実施形態では、UEは、その新たなフィールド内のプリアンブルがUEの識別子に関連付けられていることを認識すると、当該プリアンブルをUL-SCH同期バーストに対して用いる。いずれの方法でも、プリアンブルは、同一共有チャネル上での複数のUEによる同期バーストの同時送信を、eNodeBが区別できるようにする。
【００４６】
特殊同期バーストは、未知のTAに対応するためにより大きなガード・タイム（GT）が含まれるという意味で、通常のUL-SCHバーストと異なる（さらに、そのようにして他のUE10により送信されたUL伝送に干渉することを回避する）。ガード・タイムは、非同期RACH伝送（図3B、320）において用いられるものに等しくてもよい。eNodeB 12は、特殊バーストを受信すると、UE10のTAを従来の方法で計算し、（非限定的な例として）通常の制御信号伝達によって、通常のデータ伝送内のヘッダの一部として、または（次の）AT内で、DLにおいてTAをUE10に割り当てる。
【００４７】
本発明の例示的な態様に従って、同期バーストが特定のUE10専用のULリソース上で送信されるため、他のUEにより送信されるバーストとの衝突はあり得ない。この衝突は、RACHの使用時に生じ得る。
【００４８】
非限定的な一例として、同期バーストは、セル特有のパイロット符号シーケンスを含んでもよい。
【００４９】
ネットワーク1が、割り当てられたULリソースの目的がTA測定のためであるということをUE10に示すための異なる代わりの方法がいくつかがある。第１の非限定的な例では、利用可能なTA値がないこと（TAフィールド内に）、従ってUE10が同期バースト伝送を送信するために、割り当てられたUL-SCHリソースを用いるべきであるということが、ATにおいて直接示されるとよい（図1を参照のこと）。第２の非限定的な例では、UE10およびネットワーク1の両方で実行されているTA値寿命タイマ（ソフトウェアおよび／またはハードウェアのタイマ）に基づいて（または、たとえばDRX期間（単数または複数）の持続時間、またはフレーム数などの他の代わりの時間測定方法を用いることによって）、ULリソースの目的がTA測定のためであるということが示されてもよい。UE10は、TA有効性タイマを過ぎると、同期バーストの伝送用に割り当てられたUL-SCHリソースを用いるべきである。第3の非限定的な例では、AT／PDCCHまたはその他のリソース割り当てメッセージが、UEの一時識別子に関連付けられているプリアンブル（AT自体の中で関連付けられているか、またはUEがセルに入ると信号で伝えられる）を含み得る。当該プリアンブルがAT内に存在することは、そのAT／PDCCHにおいて割り付けられたリソース上で特殊同期バーストを送信するべきであるということをUEに対して示す。次に、UEはそのプリアンブル自体を、その同期バーストとして（またはバーストとして機能するその他何らかの情報と共に）、アップリンクの割り付けられたリソース上で送信する。上記のように、同一のAT／PDCCHが、同一のAT／PDCCHにおいて送信され別々のUEに関連付けられている一意のプリアンブルを用いて、同期バーストを送信するよう複数のUE10に割り付けを行うことができる。なお、プリアンブルの実施形態は、利用可能なTA値がないことをATが示す場合、または寿命タイマが満了した場合にも、異なるUEの同期バーストをeNodeBが区別できるようにするために用いられるとよい。
【００５０】
タイミング・アドバンスは、ULシーケンスの時刻同期から得られ、eNB12によってUE10へ送信される信号であり、UE10はこれを、eNBへの伝送のタイミングを早めるために用い、それによって伝搬遅延を相殺し、ひいては異なるUEからの伝送が、eNB12の受信ウィンドウと時間的に整合される。タイミング・アドバンスは、アップリンク伝送の重複を避けることにより、アップリンクにおける時分割多重化を可能にする。
【００５１】
上記のアクティブ・モードまたは状態は、LTE-ACTIVEまたはRRC_CONNECTED状態と呼ばれることもある。このような状態では、ネットワーク制御されたUEを用いたハンドオーバーが実行される。この状態では、タイミング・アドバンスは、恒久的に維持されていても、または一時的にのみ維持されてもよい。一時的である場合、MACが、レイヤ1が同期されているかどうか、およびアップリンクにおける伝送を開始するためにどの手順を用いるべきかを認識している。UL同期状態が「同期」から「非同期」へ移り得る状況には、タイマの満了、非同期のハンドオーバー、または、eNB12内のMACもしくはRRCによる明示的なリクエストが含まれる。これらのうち任意のものが、eNBに上記の同期バーストのためのリソース割り当てをUEへ送信させ、UEに、同期化されるよう同期バーストを送信させる。
【００５２】
UL UE同期を実現するために、RACHが利用される必要はないということが分かる。したがって、本発明の例示的な実施形態に従った手順は、RACHに基づく同期手順の使用につきものの衝突のリスクと、遅延における不確定性とを回避する。リクエスト時にUE10がATを受信すると想定すると、この手順が無線リソースをより効率的に用いるものであるということも分かる。
【００５３】
図4を参照すると、シグナリング・シーケンス410は、UE10がUL同期化されている場合の従来のアクティブ状態を指し、UE10は、ネットワーク1のリソースをリクエストするために同期RACHチャネルを用いる。
【００５４】
信号420は、完全性のために示されているが、実際には、UE10は既にUL同期しているため、除外されてもよい。しがたって、この時点での非同期RACHチャネルの使用は、リソースの浪費であると思われる。
【００５５】
信号430は、UE10がUL同期されていない場合に、最初にネットワークにアクセスするために非同期RACHチャネルを用いる従来の手順を示す。
【００５６】
シグナリング・シーケンス440は、本発明の例示的な実施形態に従っており（図3Aも参照のこと）、ここでネットワーク1は、TA推定／計算用にネットワークにより用いられるULアクセス・バーストを伝送するためにUE10によって用いられる専用のULリソースを、ATによって割り当てる。計算されたTAは、この例ではATによってDLにおいてUEに届けられるが、上述のとおり、他の制御信号伝達手順が用いられる可能性もある。
【００５７】
シグナリング・シーケンス450は、従来のアイドル・モード手順を示す（ページングを通してネットワーク1により開始され、非同期RACHチャネル手順を通してUE10により開始される）。なお、上述のとおり、本発明の例示的な実施形態は、アイドル・モードUL同期にも同じく適用されてよい。
【００５８】
本発明の例示的な実施形態を用いることによって実現可能な利点がいくつかある。例えば、本発明の例示的な実施形態を用いると、非同期RACHチャネル上の負荷が軽減され、その結果無線リソースが節約される。これは、スケジュール済みのリソース上での伝送は通常、コンテンション・ベースのリソース上での伝送よりも効率的であるためである。別の例として、RACH衝突が生じる可能性がなくなるため、起こり得るRACH衝突を理由とする設定の遅延を軽減することができる。別の例として、本発明の例示的な実施形態を用いることで、ULトラフィックの必要性が認識されているときに、ネットワーク1がUEのTA値を取得することができる、容易かつ制御された方法が保証される。
【００５９】
さらに、本発明の例示的な実施形態を用いることで、DRX期間の長さに対して与えられ得るあらゆる制限が緩和されることが分かる。これは、本発明の例示的な実施形態が、場合によっては非常に長いDRX期間の後に続くUE10のUL再同期を簡素化し、より効率的にするためである。
【００６０】
図5を参照すると、本発明の例示的な実施形態に基づく方法があり、ここで、ネットワーク・デバイスは、アップリンク同期信号を送信するためのアップリンク・リソースの割り当てをユーザ機器へ伝送する501。これに続いて、割り当てられたアップリンク・リソース上で、ユーザ機器からアップリンク同期信号を受信し510、アップリンク同期信号から、ユーザ機器の最新のタイミング・アドバンスを決定する520。
【００６１】
図6を参照すると、本発明の例示的な実施形態の方法があり、ここで、ユーザ機器は、アップリンク同期信号を送信するためのアップリンク・リソースの割り当てを、ネットワーク・デバイスから受信する601。その後ユーザは、割り当てられたアップリンク・リソース上でアップリンク同期信号を伝送する610。
【００６２】
当然のことながら、本発明の例示的な実施形態は、UL同期信号を伝送するためのULリソースをUE10に割り当て、Node B 12にて、割り当てられたULリソースから同期信号を受信することによる、UE10のUL同期の実行において用いられる方法、装置およびコンピュータ・プログラムを提供する。この同期信号は、Node B 12へのその後のUL伝送においてUE10により用いられる、最新のTA値の決定に用いられる。別のUEの伝送に干渉する可能性または別のUEの伝送から干渉を受ける可能性を回避するために、ULリソースはUE10専用のものであることが好ましく、非コンテンション・ベースのULリソースであることが好ましい。eNodeBが特定のUE10に特有であると認識するプリアンブルを同期バースト自体が含むため、上記で詳述されたように、異なるUE10に事前割り付けされた特定のプリアンブルも、同一のUL-SCHを共有するUE間の衝突を回避するために使用可能である。同期信号は、例えば、セル特有のパイロット符号シーケンスまたは特定のUE10に関連付けられたプリアンブル（例えば、セルに入ったときに関連付けられるか、または、同期バーストを送信するためのアップリンク・リソースを割り付けるAT／PDCCH／リソース割り当てメッセージ自体の中で関連付けられている）から成る同期バーストであってもよい。
【００６３】
概して、種々の実施形態は、ハードウェアもしくは専用回路、ソフトウェア、論理、またはそれらの任意の組み合わせにおいて実装されればよい。例えば、一部の態様がハードウェアに実装される一方で、他の態様は制御装置、マイクロプロセッサまたはその他のコンピュータ・デバイスにより実行され得るファームウェアまたはソフトウェアに実装されてもよいが、本発明はこれに限定はされない。本発明の種々の態様は、ブロック図、信号フロー図として、またはその他何らかの図的表現を用いて図示できるが、当然のことながら、本願明細書で説明されたこれらのブロック、装置、システム、技術または方法は、非限定的な例として、ハードウェア、ソフトウェア、ファームウェア、専用回路もしくは論理、汎用ハードウェアもしくは制御装置、またはその他コンピュータ・デバイス、またはこれらの何らかの組み合わせにおいて実装されればよい。
【００６４】
本発明の実施形態は、集積回路モジュールなどの様々なコンポーネントにおいて実践され得る。全般的にみて、集積回路の設計は高度に自動化されたプロセスである。論理レベルの設計を、半導体基板上にすぐにエッチングおよび形成可能な半導体回路設計に変換するために利用できる、複雑かつ強力なソフトウェア・ツールが複数ある。
【００６５】
カリフォルニア州マウンテン・ビュー（Mountain View，California）のシノプシス社（Synopsys，Inc.）、およびカリフォルニア州サンノゼ（San Jose，California）のケイデンス・デザイン（Cadence Design）により提供されているようなプログラムは、確立された設計ルール、ならびに記憶済みの設計モジュールのライブラリを用いて、自動的に半導体チップ上に導体を経路付けし、構成部品を位置付ける。半導体回路の設計が完了すれば、結果として生じた設計が製造用に、半導体加工施設、つまり「製造工場」へ、標準化された電子形式（例えばOpus、GDSII、または同様のものなど）で伝送されればよい。
【００６６】
当業であれば、添付の図および請求項と併せて前述の説明を読み考慮すると、様々な変更および適応がすぐにわかるであろう。例えば、本発明の例示的な実施形態は、UTRANおよびE-UTRANシステムとの関連で上述されたが、当然のことながら、本発明の例示的な実施形態は、他の種類のワイヤレス通信システム、方法およびスキームにも同様に適用可能である。なお、本発明の教示のあらゆる変更は、やはり本発明の非限定的な実施形態の範囲内に入る。
【００６７】
さらに、本発明の種々の非限定的な実施形態の一部の特徴を、他の特徴の使用を伴わずに用い、役立ててもよい。このように、上記の説明は、本発明の原理、教示、例示的実施形態を説明するに過ぎず、本発明を限定するものではないと見なされるべきである。
【図１】
2009535954.tif 000003
【図２】
2009535954.tif 000004
【図３】
2009535954.tif 000005
【図４】
2009535954.tif 000006
【図５】
2009535954.tif 000007
【図６】
2009535954.tif 000008
【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
アップリンク同期信号を送信するためのアップリンク・リソースの割り当てを、ユーザ機器へ伝送することと；
割り当てられた前記アップリンク・リソース上で、前記アップリンク同期信号を前記ユーザ機器から受信することと；
前記アップリンク同期信号から、前記ユーザ機器のタイミング・アドバンスを決定することと
を含む方法。
【請求項２】
前記割り当てられたアップリンク・リソースは共有チャネル・アップリンク・リソース（Shared Channel Uplink Resource）である、請求項１に記載の方法。
【請求項３】
前記決定されたタイミング・アドバンスを前記ユーザ機器へ送信することをさらに含む、請求項１又は２に記載の方法。
【請求項４】
前記タイミング・アドバンスは、制御信号伝達；データ伝送におけるヘッダ；アロケーション・テーブルのいずれかを用いて送信される、請求項３に記載の方法。
【請求項５】
前記ユーザ機器は第１ユーザ機器を含み、前記アップリンク同期信号は第１アップリンク同期信号を含み、前記タイミング・アドバンスは第１タイミング・アドバンスを含み；
前記伝送することは、前記アップリンク・リソースの前記割り当てを含む第１アロケーション・テーブルを、前記第１ユーザ機器および第２ユーザ機器へ伝送することを含み；
前記受信することは、前記アップリンク・リソース上で、前記第１アップリンク同期信号を前記第１ユーザ機器から受信することと、前記アップリンク・リソース上で、第２アップリンク同期信号を前記第２ユーザ機器から受信することとを含み；
前記決定することは、前記第１アップリンク同期信号から、前記第１ユーザ機器の前記第１タイミング・アドバンスを決定することと、前記第２ユーザ機器の前記第２アップリンク同期信号から、前記第２ユーザ機器の第２タイミング・アドバンスを決定することとを含み、
さらに前記方法は、前記第１および前記第２のタイミング・アドバンスを、第２アロケーション・テーブル内で前記第１および前記第２のユーザ機器へ送信すること
をさらに含む、請求項１から４のいずれかに記載の方法。
【請求項６】
前記アップリンク・リソースの前記割り当ては、アロケーション・テーブル内で前記ユーザ機器へ伝送される、請求項１から５のいずれかに記載の方法。
【請求項７】
前記ユーザ機器から受信される前記アップリンク同期信号は、セル特有のパイロット符号シーケンス、又は、前記ユーザ機器に関連し且つ前記アップリンク・リソースの前記割り当てと共に前記ユーザ機器へ伝送されたプリアンブルのうちの一方から成る、請求項１から６のいずれかに記載の方法。
【請求項８】
前記ユーザ機器から受信される前記アップリンク同期信号は、非同期ランダム・アクセス・チャネル上での伝送におけるガード・タイムに等しいガード・タイムを含む、請求項１から７のいずれかに記載の方法。
【請求項９】
前記アップリンク・リソースの前記割り当ては、利用可能なタイミング・アドバンス値がないという指示をさらに含む、請求項１から８のいずれかに記載の方法。
【請求項１０】
前記ユーザ機器が非同期ハンドオーバーによってセル内に確立されることに応答して実行される、請求項１から９のいずれかに記載の方法。
【請求項１１】
アップリンク同期信号を送信するためのアップリンク・リソースの割り当てを、ネットワーク・デバイスから受信することと；
割り当てられた前記アップリンク・リソース上で、前記アップリンク同期信号を伝送することと
を含む方法。
【請求項１２】
前記割り当てられたアップリンク・リソースは共有チャネル・アップリンク・リソースである、請求項１１に記載の方法。
【請求項１３】
前記伝送の後に、タイミング・アドバンスを受信することと、さらなる伝送を前記タイミング・アドバンスに同期させることとをさらに含む、請求項１１又は１２に記載の方法。
【請求項１４】
前記タイミング・アドバンスは、制御信号伝達；データ伝送；およびアロケーション・テーブルのうち１つにおいて受信される、請求項１３に記載の方法。
【請求項１５】
前記アップリンク同期信号は、セル特有のパイロット符号シーケンス、又は、前記ユーザ機器に関連し且つ前記アップリンク・リソースの前記割り当てと共に前記ユーザ機器へ伝送されたプリアンブルのうちの１つから成る、請求項１１から１４のいずれかに記載の方法。
【請求項１６】
前記伝送される前記アップリンク同期信号は、非同期ランダム・アクセス・チャネル上での伝送におけるガード・タイムに等しいガード・タイムを含む、請求項１１から１５のいずれかに記載の方法。
【請求項１７】
前記アップリンク・リソースの前記割り当ては、利用可能なタイミング・アドバンス値がないという指示をさらに含む、請求項１１から１６のいずれかに記載の方法。
【請求項１８】
前記伝送は、タイミング・アドバンスのタイマの満了を条件とする、請求項１１から１７のいずれかに記載の方法。
【請求項１９】
メモリに統合され、プロセッサにより実行されることにより動作を遂行するコンピュータ・プログラムであって、前記動作は、
アップリンク同期信号を送信するためのアップリンク・リソースの割り当てを、ユーザ機器へ伝送することと；
割り当てられた前記アップリンク・リソース上で、前記アップリンク同期信号を前記ユーザ機器から受信することと；
前記アップリンク同期信号から、前記ユーザ機器のタイミング・アドバンスを決定することと
を含む、コンピュータ・プログラム。
【請求項２０】
前記割り当てられたアップリンク・リソースは共有チャネル・アップリンク・リソースである、請求項１９に記載のコンピュータ・プログラム。
【請求項２１】
前記決定されたタイミング・アドバンスを前記ユーザ機器へ送信することをさらに含む、請求項１９又は２０に記載のコンピュータ・プログラム。
【請求項２２】
前記タイミング・アドバンスは、制御信号伝達；データ伝送におけるヘッダ；またはアロケーション・テーブルのいずれかを用いて送信される、請求項２１に記載のコンピュータ・プログラム。
【請求項２３】
前記アップリンク・リソースの前記割り当ては、アロケーション・テーブル内で前記ユーザ機器へ伝送される、請求項１９から２２のいずれかに記載のコンピュータ・プログラム。
【請求項２４】
前記アップリンク同期信号は、セル特有のパイロット符号シーケンス、又は、前記ユーザ機器に関連し且つ前記アップリンク・リソースの前記割り当てと共に前記ユーザ機器へ伝送されたプリアンブルのうちのいずれかから成る、請求項１９から２３のいずれかに記載のコンピュータ・プログラム。
【請求項２５】
前記ユーザ機器から受信される前記アップリンク同期信号は、非同期ランダム・アクセス・チャネル上での伝送におけるガード・タイムに等しいガード・タイムを含む、請求項１９から２４のいずれかに記載のコンピュータ・プログラム。
【請求項２６】
前記アップリンク・リソースの前記割り当ては、利用可能なタイミング・アドバンス値がないという指示をさらに含む、請求項１９から２５のいずれかに記載のコンピュータ・プログラム。
【請求項２７】
前記ユーザ機器が非同期ハンドオーバーによってセル内に確立されることに応答して実行される、請求項１９から２６のいずれかに記載のコンピュータ・プログラム。
【請求項２８】
アップリンク同期信号を送信するためのアップリンク・リソースの割り当てを、ユーザ機器へ伝送するように構成される送信機と；
割り当てられた前記アップリンク・リソース上で、前記アップリンク同期信号を前記ユーザ機器から受信するように構成される受信機と；
前記アップリンク同期信号から、前記ユーザ機器のタイミング・アドバンスを決定するように構成されるプロセッサと
を含む装置。
【請求項２９】
前記ユーザ機器に割り当てられた前記アップリンク・リソースは、共有チャネル・アップリンク・リソースである、請求項２８に記載の装置。
【請求項３０】
前記送信機はさらに、前記タイミング・アドバンスを前記ユーザ機器へ伝送するように構成される、請求項２８又は２９に記載の装置。
【請求項３１】
Node Bを含む、請求項２８から３０のいずれかに記載の装置。
【請求項３２】
アップリンク同期信号を送信するためのアップリンク・リソースの割り当てを、ネットワーク・デバイスから受信するように構成される受信機と；
メモリに接続され、前記アップリンク同期信号を決定するように構成されるプロセッサと；
前記アップリンク・リソース上で前記アップリンク同期信号を伝送するように構成される送信機と
を含む装置。
【請求項３３】
前記送信機が前記アップリンク同期信号を伝送した後、さらに、前記受信機はタイミング・アドバンスを受信するように構成され、前記プロセッサは前記送信機からのさらなる伝送を前記タイミング・アドバンスに同期させるように構成される、請求項３２に記載の装置。
【請求項３４】
前記アップリンク同期信号は、セル特有のパイロット符号シーケンスと、前記装置に関連し且つ前記アップリンク・リソースの前記割り当てと共に前記装置へ伝送されたプリアンブルとのうち１つを含む、請求項３２又は３３に記載の装置。
【請求項３５】
前記送信機は、タイミング・アドバンスのタイマの満了を条件とする前記アップリンク同期信号を伝送するように構成される、請求項３２から３４のいずれかに記載の装置。
【請求項３６】
アップリンク同期信号を送信するためのアップリンク・リソースの割り当てを、ユーザ機器へ伝送する手段と；
割り当てられた前記アップリンク・リソース上で、前記アップリンク同期信号を前記ユーザ機器から受信する手段と；
前記アップリンク同期信号から、前記ユーザ機器のタイミング・アドバンスを決定する手段と
を含む装置。
【請求項３７】
前記伝送手段は送受信機を含み；
前記受信手段は受信機を含み；
前記決定手段は、コンピュータ可読メモリに接続されたプロセッサを含む
請求項３６に記載の装置。
【請求項３８】
前記受信することは、タイミング・アドバンスのタイマの満了を条件とする、請求項１に記載の方法。
【請求項３９】
前記受信することは、タイミング・アドバンスのタイマの満了を条件とする、請求項１９に記載のコンピュータ・プログラム。
【請求項４０】
前記受信機は、タイミング・アドバンスのタイマの満了に応答して、前記アップリンク同期信号を受信するように構成される、請求項２８に記載の装置。
【請求項４１】
前記アップリンク・リソースの割り当てを伝送することは、同期タイマの満了を条件とする、請求項１に記載の方法。
【請求項４２】
前記アップリンク・リソースの割り当てを伝送することは、同期タイマの満了を条件とする、請求項１９に記載のコンピュータ・プログラム。
【請求項４３】
前記送信機は、同期タイマの満了に応じて、前記アップリンク・リソースの割り当てを伝送するように構成される、請求項２８に記載の装置。
【請求項４４】
前記アップリンク同期信号はランダム・アクセス・チャネルにおいて受信される、請求項１に記載の方法。
【請求項４５】
前記アップリンク同期信号はランダム・アクセス・チャネルにおいて受信される、請求項１９に記載のコンピュータ・プログラム。
【請求項４６】
前記受信機は、ランダム・アクセス・チャネルにおいて前記アップリンク同期信号を受信するように構成される、請求項２８に記載の装置。
【請求項４７】
前記割り当てられたアップリンク・リソースは、ランダム・アクセス・チャネル・リソースである、請求項１１に記載の方法。
【請求項４８】
前記割り当てられたアップリンク・リソースは、ランダム・アクセス・チャネル・リソースである、請求項３２に記載の装置。
【国際調査報告】
2009535954.tif 000009
2009535954.tif 000010
2009535954.tif 000011